【事件の表示】
　特願２０１３−２６４３５６「無線通信システムにおける多元接続互換性のためのデータ送信の受信成功を通知する方法および装置」拒絶査定不服審判事件〔平成２６年　６月１９日出願公開、特開２０１４−１１２８４７〕について、次のとおり審決する。
【結　論】
　本件審判の請求は、成り立たない。
【理　由】
　
１．手続の経緯
　本願は、２０１０年２月１１日（パリ条約による優先権主張外国庁受理２００９年２月１２日、米国、２００９年８月４日、米国）を国際出願日とする特願２０１１−５５０２３６号の一部を２０１３年１２月２０日に分割した出願であって、平成２６年１月１７日付けで手続補正がなされ、平成２６年１０月６日付けで手続補正がなされ、平成２６年１０月２０日付けで拒絶理由が通知され、平成２７年１月２６日付けで手続補正がなされ、平成２７年２月１３日付けで拒絶査定がされ、平成２７年６月１０日に拒絶査定不服審判が請求され、平成２８年１月１９日付けで当審が拒絶理由を通知し、平成２８年４月２０日付けで手続補正がなされたものである。
２．当審が通知した拒絶理由通知の内容
　平成２８年１月１９日付けで当審が通知した拒絶理由の内容は下記のとおりである。
理由１．本件出願は、特許請求の範囲の記載が下記の点で不備のため、特許法第３６条第６項第１号に規定する要件を満たしていない。
理由２．本件出願は、特許請求の範囲の記載が下記の点で不備のため、特許法第３６条第６項第２号に規定する要件を満たしていない。
理由３．本件出願は、発明の詳細な説明の記載が下記の点で不備のため、特許法第３６条第４項第１号に規定する要件を満たしていない。
理由４．平成２７年１月２６日付けでした手続補正は、下記の点で外国語書面の翻訳文に記載した事項の範囲内においてしたものでないから、特許法第１７条の２第３項に規定する要件を満たしていない。
　　　　　　　　　　　　　　　　　記
・理由１について
・請求項１−３８
　請求項１には、「前記送信機に前記無線通信ＡＣＫメッセージをスケジュールされた時間で送信することと、ここにおいて、前記スケジュールされた時間は、前記少なくとも１つの第２のデバイスによって生成された第２の無線通信ＡＣＫメッセージおよび前記無線通信ＡＣＫメッセージが前記第１のデバイスおよび前記少なくとも１つの第２のデバイスから前記送信機に同時に送信されるべき時間に相当する」との記載がある。
　上記記載は、第１のデバイス及び第２のデバイスがそれぞれＡＣＫメッセージを送信する時刻が何らかの方法によって同時刻にスケジュールされ、そのスケジュールされた時刻に両デバイスが同時にＡＣＫメッセージを送信することを意味していると解釈できる。
　一方で、上記記載に対応するであろうと推測される実施例は図８及び図９に示されるものであるが、図８及び図９に対応する発明の詳細な説明第００４９段落から第００５１段落には、複数のデバイスがＡＣＫを送信する時刻を同時刻にスケジュールすることについては記載されておらず、単に複数のデバイスがＡＣＫを同時刻に送信することのみが記載されている。図８に関しては、アクセスポイントから各局へのダウンリンクのデータがＡＰＰＤＵとしてまとめて送信されているため、各局はＡＰＰＤＵの終わりまでＡＣＫメッセージを送信できずに待っており、ＡＰＰＤＵが終了したタイミングで、一斉にＡＣＫメッセージの送信を開始しただけのように思われる（正確にはＡＰＰＤＵが終了した後、ＳＩＦＳ期間を置いて一斉送信が開始されているが、ＳＩＦＳ期間は受信局がパケットを復号し、フレームが復号局に向けられたものであるか否かをチェックし、ＣＲＣを計算することによって誤りの有無をチェックするための時間が十分となるように設けられたシステム規定の時間であるから、実質的にはＡＰＰＤＵの終了後直ちにＡＣＫメッセージを送信していると認められる）。そして、図９に関しては、第００４９段落に「これらの図の各々には、２３２バイトの長さの典型的なＧ７１１ ＶｏＩＰ（Voice over IP）パケットを８つの局に同時に送信するために必要なトータル送信時間が示されている。」と記載されており、８つの局に送信されるパケットの長さが全て２３２バイトであるから、各局に多重化して同時に送信されたＳＴＡ−１ ９３０−１からＳＴＡ−８ ９３０−８のパケットの終了時間が同時刻となり、その直後に（ＳＩＦＳ期間の後に）各局が一斉にＡＣＫメッセージを送信し始めたに過ぎないように思われる。つまり、図８及び図９に示される実施例は、各局へのデータ送信の終了時点が同時刻になることに起因して、各局からのＡＣＫメッセージの送信時刻が同時刻になっているに過ぎないのではないかと思われる。
　他方、図８及び図９についての説明である第００４９段落の直前にある第００４８段落には、「そのような状況において、これらのＡＣＫが同時に送信されるようにスケジュールするために、ＳＤＭＡまたはＯＦＤＭＡのような多元接続方法を使用することは非常に効率的である。」との記載があるが、この記載からは、何がスケジュールされているのかが不明であるため（最終的な効果としてＡＣＫが同時に送信されることは理解できるが、ＡＣＫの送信時刻をスケジュールしているとは明記されておらず、各局宛のデータフレームの終了時刻が同時刻になるようにデータ送信をスケジュールした結果、その応答であるＡＣＫの送信時刻が同一時刻となったのではないかと推測される）、「ＡＣＫメッセージをスケジュールされた時間で送信する」ことが記載されているとは認められない。
　したがって、請求項１に係る発明は、発明の詳細な説明に記載されたものではない。
　請求項１の上記記載に類した記載を持つ請求項１２、２３、３４、３６及び３８についても同様であり、前記請求項を引用する請求項２−１１、１３−２２、２４−３３、３５及び３７についても同様である。
・理由２について
・請求項１−３８
　請求項１には「スケジュール」との語があるが、当該語の意味が以下の（１）から（３）のいずれに該当するのかが不明確である。請求項２−３８についても同様である。
（１）スケジュールの直接の対象となるメッセージ（本件の場合、ＡＣＫメッセージ）の送信時間そのもの自体を決定すること。
（２）スケジュールの直接の対象となるメッセージ以外の何かの動作時間（例えば、各局宛のデータメッセージであるところのＳＴＡ−１９３０−１などの送信終了時間）を決定することによって、それに起因して生じるメッセージの送信時間（本件の場合、ＡＣＫメッセージの送信時間）を間接的に定めること。
（３）それ以外。
〈付記〉
　上記（１）に該当する場合は、上記理由１、下記理由３及び４についても留意すること。
　上記（２）に該当する場合は、拒絶査定で示した特許法第２９条第１項第３号及び同法第２９条第２項に関する拒絶理由が維持されることに留意すること。
　上記（３）に該当する場合は、該「スケジュール」という語が何を意味しているのかを明確にする必要があることに留意すること。
・理由２について
・請求項１−３８
　請求項１には「第１のデバイスを識別する媒体アクセス制御（ＭＡＣ）層識別子」との記載がある。
　当該記載を文言どおりに解釈すれば、当該記載は、デバイスの識別が可能となるようなＭＡＣ層で用いられる識別子のことを指しているに過ぎず、具体的にどのような識別子であるかまでは規定していないと解釈できる。
　しかしながら、審判請求書においては、当該記載を引用した上で、当該記載が「ＭＡＣアドレス」であることを前提とした反駁意見が記載されている。
　してみると、当該記載は、ＭＡＣアドレスのことのみを指し示しているものであるのか、それとも、ＭＡＣアドレスに限られない、ＭＡＣ層において用いられるデバイスの識別子一般のことを指し示しているのかが不明である。
　請求項１の上記記載に類した記載を持つ請求項１２、２３、３４、３６及び３８についても同様であり、前記請求項を引用する請求項２−１１、１３−２２、２４−３３、３５及び３７についても同様である。
・理由３について
・請求項１−３８
　請求項１には、「前記送信機に前記無線通信ＡＣＫメッセージをスケジュールされた時間で送信することと、ここにおいて、前記スケジュールされた時間は、前記少なくとも１つの第２のデバイスによって生成された第２の無線通信ＡＣＫメッセージおよび前記無線通信ＡＣＫメッセージが前記第１のデバイスおよび前記少なくとも１つの第２のデバイスから前記送信機に同時に送信されるべき時間に相当する」との記載がある。
　上記記載は、第１のデバイス及び第２のデバイスがそれぞれＡＣＫメッセージを送信する時刻が何らかの方法によって同時刻にスケジュールされ、そのスケジュールされた時刻に両デバイスが同時にＡＣＫメッセージを送信することを意味していると解釈できる。
　一方で、発明の詳細な説明には、第１のデバイス及び第２のデバイスがＡＣＫメッセージを送信すべき時刻を、第１のデバイス及び第２のデバイスに伝達する手段についての記載がない。
　本願発明の背景技術であるＩＥＥＥ８０２．１１では、データメッセージを受信した局は、そのデータメッセージを正しく受信できた場合には、ＡＣＫメッセージをＳＩＦＳ期間の後直ちに送信するよう規定されているため、ＡＣＫメッセージをスケジューリングによって定められた時刻に送信するよう指示する手段を持たない。 
　したがって、本願発明が「ＡＣＫメッセージをスケジュールされた時間で送信」できるようにするためには、ＡＣＫメッセージをスケジュールされた時間で送信することを指示するための具体的な手段を必要となるが、このような手段については具体的な記載が発明の詳細に存在しない。
　よって、本願の発明の詳細な説明は、請求項１に係る発明を実施できる程度に明確かつ十分に記載されていない。
　請求項２−３８についても同様である。
・理由４について
　平成２７年１月２６日付け手続補正書によって補正された請求項１には、「前記送信機に前記無線通信ＡＣＫメッセージをスケジュールされた時間で送信することと、ここにおいて、前記スケジュールされた時間は、前記少なくとも１つの第２のデバイスによって生成された第２の無線通信ＡＣＫメッセージおよび前記無線通信ＡＣＫメッセージが前記第１のデバイスおよび前記少なくとも１つの第２のデバイスから前記送信機に同時に送信されるべき時間に相当する」との記載がある。
　しかしながら、上記理由１で述べたのと同様の理由で、上記記載は、外国語書面の翻訳文の当初の発明の詳細な説明及び図面に記載されたものではない。
　加えて、上記記載は、外国語書面の翻訳文の当初の特許請求の範囲に記載されたものでもない。
　したがって、平成２７年１月２６日付けでした手続補正は、外国語書面の翻訳文に記載した事項の範囲内においてしたものでない。
　上記は、請求項１の上記記載に類した記載を持つ請求項１２、２３、３４、３６及び３８についても同様であり、前記請求項を引用する請求項２−１１、１３−２２、２４−３３、３５及び３７についても同様である。
３．平成２８年４月２０日付けの手続補正について
　平成２８年４月２０日付けの手続補正（以下「本件補正」という。）により、特許請求の範囲は、
「【請求項１】
　方法であって、
　無線通信パケットを第１のデバイスで受信することと、ここにおいて、前記無線通信パケットは、送信機から前記第１のデバイスおよび少なくとも１つの第２のデバイスに送信される、
　前記第１のデバイスが前記無線通信パケットを成功裏に受信したという前記第１のデバイスによる決定を受けて無線通信肯定応答（ＡＣＫ）メッセージを前記第１のデバイスで生成することと、ここにおいて、前記無線通信ＡＣＫメッセージは、前記第１のデバイスを識別する媒体アクセス制御（ＭＡＣ）層識別子を含む、
　前記送信機に前記無線通信ＡＣＫメッセージをスケジュールされた時間で送信することと、ここにおいて、前記スケジュールされた時間は、前記少なくとも１つの第２のデバイスによって生成された第２の無線通信ＡＣＫメッセージおよび前記無線通信ＡＣＫメッセージが前記第１のデバイスおよび前記少なくとも１つの第２のデバイスから前記送信機に同時に送信されるべき時間に相当する、
　を備える、方法。
　　【請求項２】
　前記無線通信ＡＣＫメッセージは、空間分割多元接続（ＳＤＭＡ）送信または直交周波数分割多元接続（ＯＦＤＭＡ）送信を介して前記送信機に送信される、請求項１に記載の方法。
　　【請求項３】
　前記第１のデバイスのトランシーバを介して前記無線通信ＡＣＫメッセージを送信することをさらに備える、請求項１に記載の方法。
　　【請求項４】
　前記第１のデバイスが前記無線通信パケットを成功裏に受信したという決定を受けて前記第１のデバイスのアプリケーション層に前記無線通信パケットのペイロードを提供することをさらに備える、請求項１に記載の方法。
　　【請求項５】
　前記ＭＡＣ層識別子は、前記第１のデバイスのネットワークアドレスを備える、請求項１に記載の方法。
　　【請求項６】
　前記ＭＡＣ層識別子は、アクセスポイントによって前記第１のデバイスに割り当てられた局識別子を備える、請求項１に記載方法。
　　【請求項７】
　前記第１のデバイスを前記アクセスポイントに登録することと、
　前記第１のデバイスを前記アクセスポイントに登録した後に、前記第１のデバイスで前記アクセスポイントから前記局識別子を受信することと、
　をさらに備える、請求項６に記載の方法。
　　【請求項８】
　前記第１のデバイスが前記無線通信パケットを成功裏に受信したという前記決定は、修正不可能な誤りが前記無線通信パケットの受信中に生じなかったことを検出することを備える、請求項１に記載の方法。
　　【請求項９】
　前記スケジュールされた時間は、前記第１のデバイスが前記無線通信パケットを復号し、前記無線通信パケットの誤りをチェックするに十分に長い時間期間に相当する、請求項１に記載の方法。
　　【請求項１０】
　前記第１のデバイスは、巡回冗長検査を計算することによって誤りをチェックする、請求項９に記載の方法。
　　【請求項１１】
　前記無線通信パケットは、アグリゲートパケットである、請求項１に記載の方法。
　　【請求項１２】
　装置であって、
　無線通信パケットが前記装置で成功裏に受信されたことを決定するための手段と、ここにおいて、前記無線通信パケットは、送信機から前記装置および少なくとも１つのデバイスに送信される、
　前記無線通信パケットが成功裏に受信されたことを決定するための前記手段による決定を受けて無線通信肯定応答（ＡＣＫ）メッセージを生成するための手段と、ここにおいて、前記無線通信ＡＣＫメッセージは、前記装置を識別する媒体アクセス制御（ＭＡＣ）層識別子を含む、
　前記無線通信ＡＣＫメッセージをスケジュールされた時間で前記送信機に送信するための手段と、ここにおいて、前記スケジュールされた時間は、前記少なくとも１つのデバイスによって生成された第２の無線通信ＡＣＫメッセージおよび前記無線通信ＡＣＫメッセージが前記装置および前記少なくとも１つのデバイスから前記送信機に同時に送信されるべき時間に相当する、
　を備える、装置。
　　【請求項１３】
　前記無線通信パケットは、時分割多元接続（ＴＤＭＡ）送信、空間分割多元接続（ＳＤＭＡ）送信、または直交周波数分割多元接続（ＯＦＤＭＡ）送信を介して前記送信機によって送信される、請求項１２に記載の装置。
　　【請求項１４】
　前記無線通信ＡＣＫメッセージを送信するための前記手段は、トランシーバを備える、請求項１２に記載の装置。
　　【請求項１５】
　前記無線通信ＡＣＫメッセージを生成するための前記手段は、前記無線通信パケットが成功裏に受信されたことを決定するための前記手段が、前記無線通信パケットが成功裏に受信されていないと決定した後に、前記無線通信パケットを廃棄する、請求項１２に記載の装置。
　　【請求項１６】
　前記無線通信パケットは、アグリゲートパケットである、請求項１４に記載の装置。
　　【請求項１７】
　前記ＭＡＣ層識別子は、前記装置のネットワークアドレスを備える、請求項１２に記載の装置。
　　【請求項１８】
　前記ＭＡＣ層識別子は、アクセスポイントによって前記装置に割り当てられた局識別子を備える、請求項１２に記載の装置。
　　【請求項１９】
　前記アクセスポイントに登録するための手段と、
　前記アクセスポイントに登録するための前記手段による登録後に、前記アクセスポイントから前記局識別子を受信するための手段と、
　をさらに備える、請求項１８に記載の装置。
　　【請求項２０】
　前記無線通信パケットが成功裏に受信されたことを決定するための前記手段は、修正不可能な誤りが前記無線通信パケットの受信中に生じなかったことを検出するための手段を備える、請求項１２に記載の装置。
　　【請求項２１】
　前記スケジュールされた時間は、無線通信パケットが成功裏に受信されたことを決定するための前記手段が、前記無線通信パケットを復号し、前記無線通信パケットの誤りをチェックするに十分に長い時間期間に相当する、請求項１２に記載の装置。
　　【請求項２２】
　無線通信パケットが成功裏に受信されたことを決定するための前記手段は、巡回冗長検査を計算することによって誤りをチェックする、請求項２１に記載の装置。
　　【請求項２３】
　装置であって、
　無線通信パケットを受信し、ここにおいて、前記無線通信パケットは、送信機から前記装置および少なくとも１つのデバイスに送信される、
　前記無線通信パケットが成功裏に受信されたという決定を受けて無線通信肯定応答（ＡＣＫ）メッセージを生成し、ここにおいて、前記無線通信ＡＣＫメッセージは、前記装置を識別する媒体アクセス制御（ＭＡＣ）層識別子を含む、
　前記無線通信ＡＣＫメッセージをスケジュールされた時間で前記送信機に送信する、ここにおいて、前記スケジュールされた時間は、前記少なくとも１つの装置によって生成された第２の無線通信ＡＣＫメッセージおよび前記無線通信ＡＣＫメッセージが前記装置および前記少なくとも１つのデバイスから前記送信機に同時に送信されるべき時間に相当する、
　ように構成された処理システムを備える、装置。
　　【請求項２４】
　前記無線通信ＡＣＫメッセージは、空間分割多元接続（ＳＤＭＡ）送信または直交周波数分割多元接続（ＯＦＤＭＡ）送信を介して前記送信機に送信される、請求項２３に記載の装置。
　　【請求項２５】
　前記無線通信ＡＣＫメッセージを送信するように構成されたトランシーバをさらに備える、請求項２３に記載の装置。
　　【請求項２６】
　前記無線通信ＡＣＫメッセージは、前記送信機を識別する第２のＭＡＣ層識別子を含む、請求項２３に記載の装置。
　　【請求項２７】
　前記無線通信パケットは、アグリゲートパケットである、請求項２５に記載の装置。
　　【請求項２８】
　前記ＭＡＣ層識別子は、前記装置のネットワークアドレスを備える、請求項２３に記載の装置。
　　【請求項２９】
　前記ＭＡＣ層識別子は、アクセスポイントによって割り当てられた前記装置の局識別子を備える、請求項２３に記載の装置。
　　【請求項３０】
　前記処理システムは、前記アクセスポイントに登録するようにさらに構成され、
　前記装置は、前記処理システムを前記アクセスポイントに登録した後に、前記アクセスポイントから前記局識別子を受信するようにさらに構成される、請求項２９に記載の装置。
　　【請求項３１】
　前記処理システムは、修正不可能な誤りが前記無線通信パケットの受信中に生じなかったことを検出するようにさらに構成される、請求項２３に記載の装置。
　　【請求項３２】
　前記スケジュールされた時間は、前記装置が前記無線通信パケットを復号し、前記無線通信パケットの誤りをチェックするに十分に長い時間期間に相当する、請求項２３に記載の装置。
　　【請求項３３】
　前記装置は、巡回冗長検査を計算することによって誤りをチェックする、請求項３２に記載の装置。
　　【請求項３４】
　プロセッサに、
　　第１のデバイスで無線通信パケットを受信させ、ここにおいて、前記無線通信パケットは、送信機から前記第１のデバイスおよび少なくとも１つの第２のデバイスに送信される、
　　前記無線通信パケットが成功裏に受信されたという決定を受けて無線通信肯定応答（ＡＣＫ）メッセージを生成させ、ここにおいて、前記無線通信ＡＣＫメッセージは、前記第１のデバイスを識別する媒体アクセス制御（ＭＡＣ）層識別子を含む、
　　前記無線通信ＡＣＫメッセージをスケジュールされた時間で前記送信機に送信させる、ここにおいて、前記スケジュールされた時間は、前記少なくとも１つの第２のデバイスによって生成された第２の無線通信ＡＣＫメッセージおよび前記無線通信ＡＣＫメッセージが前記第１のデバイスおよび前記少なくとも１つの第２のデバイスから前記送信機に同時に送信されるべき時間に相当する、
　ために、前記プロセッサよって実行可能な命令により符号化される、コンピュータ可読記憶デバイス。
　　【請求項３５】
　前記無線通信パケットは、アグリゲートパケットである、請求項３４に記載のコンピュータ可読記憶デバイス。
　　【請求項３６】
　アクセス端末であって、
　無線通信パケットを受信し、ここにおいて、前記無線通信パケットは、送信機から前記アクセス端末および少なくとも１つのデバイスに送信される、
　前記無線通信パケットが成功裏に受信されたという決定を受けて無線通信肯定応答（ＡＣＫ）メッセージを生成し、ここにおいて、前記無線通信ＡＣＫメッセージは、前記アクセス端末を識別する媒体アクセス制御（ＭＡＣ）層識別子を含む、
　前記無線通信ＡＣＫメッセージをスケジュールされた時間で前記送信機に送信する、ここにおいて、前記スケジュールされた時間は、前記少なくとも１つのデバイスによって生成された第２の無線通信ＡＣＫメッセージおよび前記無線通信ＡＣＫメッセージが前記アクセス端末および前記少なくとも１つのデバイスから前記送信機に同時に送信されるべき時間に相当する、
　ように構成された処理システムを備える、アクセス端末。
　　【請求項３７】
　前記無線通信パケットは、アグリゲートパケットである、請求項３６に記載のアクセス端末。
　　【請求項３８】
　アクセスポイントであって、
　無線通信パケットを複数のアクセス端末に送信する送信機と、
　前記複数のアクセス端末から複数の同時に送信された無線通信肯定応答（ＡＣＫ）メッセージを受信するように構成された無線ネットワークアダプタと、ここにおいて、前記複数のアクセス端末は、特定の時間で前記無線通信ＡＣＫメッセージを同時に送信するように構成され、各無線通信ＡＣＫメッセージは、前記無線通信ＡＣＫメッセージを送信したアクセス端末を識別する媒体アクセス制御（ＭＡＣ）層識別子を含む、
　前記無線通信パケットの送信に応答して受信された各受信された無線通信ＡＣＫメッセージを復号し、前記無線通信パケットの送信に応答して受信された各受信された無線通信ＡＣＫメッセージにおける前記ＭＡＣ層識別子に基づいて、どのアクセス端末が前記無線通信パケットを成功裏に受信したかを決定するように構成された処理システムと、ここにおいて、各受信されたＡＣＫメッセージは、前記無線通信パケットに応答して前記特定の時間で他の無線通信ＡＣＫメッセージと同時に送信されるようスケジュールされる、
　を備える、アクセスポイント。」
　から
「【請求項１】
　方法であって、
　無線通信パケットを第１のデバイスで受信することと、ここにおいて、前記無線通信パケットは、送信機から前記第１のデバイスおよび少なくとも１つの第２のデバイスに送信される、
　前記第１のデバイスが前記無線通信パケットを成功裏に受信したという前記第１のデバイスによる決定を受けて無線通信肯定応答（ＡＣＫ）メッセージを前記第１のデバイスで生成することと、ここにおいて、前記無線通信ＡＣＫメッセージは、前記第１のデバイスを識別する媒体アクセス制御（ＭＡＣ）アドレスを含む、
　前記送信機に前記無線通信ＡＣＫメッセージを同時に送信することと
　を備える、方法。
　　【請求項２】
　前記無線通信ＡＣＫメッセージは、空間分割多元接続（ＳＤＭＡ）送信または直交周波数分割多元接続（ＯＦＤＭＡ）送信を介して前記送信機に送信される、請求項１に記載の方法。
　　【請求項３】
　前記第１のデバイスのトランシーバを介して前記無線通信ＡＣＫメッセージを送信することをさらに備える、請求項１に記載の方法。
　　【請求項４】
　前記第１のデバイスが前記無線通信パケットを成功裏に受信したという決定を受けて前記第１のデバイスのアプリケーション層に前記無線通信パケットのペイロードを提供することをさらに備える、請求項１に記載の方法。
　　【請求項５】
　前記ＭＡＣアドレスは、前記第１のデバイスのネットワークアドレスを備える、請求項１に記載の方法。
　　【請求項６】
　前記ＭＡＣアドレスは、アクセスポイントによって前記第１のデバイスに割り当てられた局識別子を備える、請求項１に記載方法。
　　【請求項７】
　前記第１のデバイスを前記アクセスポイントに登録することと、
　前記第１のデバイスを前記アクセスポイントに登録した後に、前記第１のデバイスで前記アクセスポイントから前記局識別子を受信することと、
　をさらに備える、請求項６に記載の方法。
　　【請求項８】
　前記第１のデバイスが前記無線通信パケットを成功裏に受信したという前記決定は、修正不可能な誤りが前記無線通信パケットの受信中に生じなかったことを検出することを備える、請求項１に記載の方法。
　　【請求項９】
　前記同時の時間は、前記第１のデバイスが前記無線通信パケットを復号し、前記無線通信パケットの誤りをチェックするに十分に長い時間期間に相当する、請求項１に記載の方法。
　　【請求項１０】
　前記第１のデバイスは、巡回冗長検査を計算することによって誤りをチェックする、請求項９に記載の方法。
　　【請求項１１】
　前記無線通信パケットは、アグリゲートパケットである、請求項１に記載の方法。
　　【請求項１２】
　装置であって、
　無線通信パケットが前記装置で成功裏に受信されたことを決定するための手段と、ここにおいて、前記無線通信パケットは、送信機から前記装置および少なくとも１つのデバイスに送信される、
　前記無線通信パケットが成功裏に受信されたことを決定するための前記手段による決定を受けて無線通信肯定応答（ＡＣＫ）メッセージを生成するための手段と、ここにおいて、前記無線通信ＡＣＫメッセージは、前記装置を識別する媒体アクセス制御（ＭＡＣ）アドレスを含む、
　前記無線通信ＡＣＫメッセージを同時に前記送信機に送信するための手段と
　を備える、装置。
　　【請求項１３】
　前記無線通信パケットは、時分割多元接続（ＴＤＭＡ）送信、空間分割多元接続（ＳＤＭＡ）送信、または直交周波数分割多元接続（ＯＦＤＭＡ）送信を介して前記送信機によって送信される、請求項１２に記載の装置。
　　【請求項１４】
　前記無線通信ＡＣＫメッセージを送信するための前記手段は、トランシーバを備える、請求項１２に記載の装置。
　　【請求項１５】
　前記無線通信ＡＣＫメッセージを生成するための前記手段は、前記無線通信パケットが成功裏に受信されたことを決定するための前記手段が、前記無線通信パケットが成功裏に受信されていないと決定した後に、前記無線通信パケットを廃棄する、請求項１２に記載の装置。
　　【請求項１６】
　前記無線通信パケットは、アグリゲートパケットである、請求項１４に記載の装置。
　　【請求項１７】
　前記ＭＡＣアドレスは、前記装置のネットワークアドレスを備える、請求項１２に記載の装置。
　　【請求項１８】
　前記ＭＡＣアドレスは、アクセスポイントによって前記装置に割り当てられた局識別子を備える、請求項１２に記載の装置。
　　【請求項１９】
　前記アクセスポイントに登録するための手段と、
　前記アクセスポイントに登録するための前記手段による登録後に、前記アクセスポイントから前記局識別子を受信するための手段と、
　をさらに備える、請求項１８に記載の装置。
　　【請求項２０】
　前記無線通信パケットが成功裏に受信されたことを決定するための前記手段は、修正不可能な誤りが前記無線通信パケットの受信中に生じなかったことを検出するための手段を備える、請求項１２に記載の装置。
　　【請求項２１】
　前記同時の時間は、無線通信パケットが成功裏に受信されたことを決定するための前記手段が、前記無線通信パケットを復号し、前記無線通信パケットの誤りをチェックするに十分に長い時間期間に相当する、請求項１２に記載の装置。
　　【請求項２２】
　無線通信パケットが成功裏に受信されたことを決定するための前記手段は、巡回冗長検査を計算することによって誤りをチェックする、請求項２１に記載の装置。
　　【請求項２３】
　装置であって、
　無線通信パケットを受信し、ここにおいて、前記無線通信パケットは、送信機から前記装置および少なくとも１つのデバイスに送信される、
　前記無線通信パケットが成功裏に受信されたという決定を受けて無線通信肯定応答（ＡＣＫ）メッセージを生成し、ここにおいて、前記無線通信ＡＣＫメッセージは、前記装置を識別する媒体アクセス制御（ＭＡＣ）アドレスを含む、
　前記無線通信ＡＣＫメッセージを同時に前記送信機に送信する
　ように構成された処理システムを備える、装置。
　　【請求項２４】
　前記無線通信ＡＣＫメッセージは、空間分割多元接続（ＳＤＭＡ）送信または直交周波数分割多元接続（ＯＦＤＭＡ）送信を介して前記送信機に送信される、請求項２３に記載の装置。
　　【請求項２５】
　前記無線通信ＡＣＫメッセージを送信するように構成されたトランシーバをさらに備える、請求項２３に記載の装置。
　　【請求項２６】
　前記無線通信ＡＣＫメッセージは、前記送信機を識別する第２のＭＡＣアドレスを含む、請求項２３に記載の装置。
　　【請求項２７】
　前記無線通信パケットは、アグリゲートパケットである、請求項２５に記載の装置。
　　【請求項２８】
　前記ＭＡＣアドレスは、前記装置のネットワークアドレスを備える、請求項２３に記載の装置。
　　【請求項２９】
　前記ＭＡＣアドレスは、アクセスポイントによって割り当てられた前記装置の局識別子を備える、請求項２３に記載の装置。
　　【請求項３０】
　前記処理システムは、前記アクセスポイントに登録するようにさらに構成され、
　前記装置は、前記処理システムを前記アクセスポイントに登録した後に、前記アクセスポイントから前記局識別子を受信するようにさらに構成される、請求項２９に記載の装置。
　　【請求項３１】
　前記処理システムは、修正不可能な誤りが前記無線通信パケットの受信中に生じなかったことを検出するようにさらに構成される、請求項２３に記載の装置。
　　【請求項３２】
　前記同時の時間は、前記装置が前記無線通信パケットを復号し、前記無線通信パケットの誤りをチェックするに十分に長い時間期間に相当する、請求項２３に記載の装置。
　　【請求項３３】
　前記装置は、巡回冗長検査を計算することによって誤りをチェックする、請求項３２に記載の装置。
　　【請求項３４】
　プロセッサに、
　　第１のデバイスで無線通信パケットを受信させ、ここにおいて、前記無線通信パケットは、送信機から前記第１のデバイスおよび少なくとも１つの第２のデバイスに送信される、
　　前記無線通信パケットが成功裏に受信されたという決定を受けて無線通信肯定応答（ＡＣＫ）メッセージを生成させ、ここにおいて、前記無線通信ＡＣＫメッセージは、前記第１のデバイスを識別する媒体アクセス制御（ＭＡＣ）アドレスを含む、
　　前記無線通信ＡＣＫメッセージを同時に前記送信機に送信させる
　ために、前記プロセッサよって実行可能な命令により符号化される、コンピュータ可読記憶デバイス。
　　【請求項３５】
　前記無線通信パケットは、アグリゲートパケットである、請求項３４に記載のコンピュータ可読記憶デバイス。
　　【請求項３６】
　アクセス端末であって、
　無線通信パケットを受信し、ここにおいて、前記無線通信パケットは、送信機から前記アクセス端末および少なくとも１つのデバイスに送信される、
　前記無線通信パケットが成功裏に受信されたという決定を受けて無線通信肯定応答（ＡＣＫ）メッセージを生成し、ここにおいて、前記無線通信ＡＣＫメッセージは、前記アクセス端末を識別する媒体アクセス制御（ＭＡＣ）アドレスを含む、
　前記無線通信ＡＣＫメッセージを同時に前記送信機に送信する
　ように構成された処理システムを備える、アクセス端末。
　　【請求項３７】
　前記無線通信パケットは、アグリゲートパケットである、請求項３６に記載のアクセス端末。
　　【請求項３８】
　アクセスポイントであって、
　無線通信パケットを複数のアクセス端末に送信する送信機と、
　前記複数のアクセス端末から複数の同時に送信された無線通信肯定応答（ＡＣＫ）メッセージを受信するように構成された無線ネットワークアダプタと、ここにおいて、前記複数のアクセス端末は、特定の時間で前記無線通信ＡＣＫメッセージを同時に送信するように構成され、各無線通信ＡＣＫメッセージは、前記無線通信ＡＣＫメッセージを送信したアクセス端末を識別する媒体アクセス制御（ＭＡＣ）アドレスを含む、
　前記無線通信パケットの送信に応答して受信された各受信された無線通信ＡＣＫメッセージを復号し、前記無線通信パケットの送信に応答して受信された各受信された無線通信ＡＣＫメッセージにおける前記ＭＡＣアドレスに基づいて、どのアクセス端末が前記無線通信パケットを成功裏に受信したかを決定するように構成された処理システムと、ここにおいて、各受信されたＡＣＫメッセージは、前記無線通信パケットに応答して前記特定の時間で他の無線通信ＡＣＫメッセージと同時に送信される、
　を備える、アクセスポイント。」
　に補正された。
　この補正は、平成２８年１月１９日付けの拒絶理由通知において指摘された「無線通信ＡＣＫメッセージをスケジュールされた時間で送信すること」を「無線通信ＡＣＫメッセージを同時に送信すること」に補正すると共に、同じく平成２８年１月１９日付けの拒絶理由通知において指摘された「ＭＡＣ層識別子」を「ＭＡＣアドレス」と補正するものである。
　そうすると、本件補正は、特許法第１７条の２第５項第４号の拒絶理由通知に係る拒絶の理由に示す事項について行った明りょうでない記載の釈明に該当する。
　また、本件補正は特許法第１７条の２第３項及び第４項の規定にも適合する。
　上記によれば、本件補正は、特許法第１７条の２第３項ないし第５項の規定に適合するから、本件補正を認める。
４．本願発明
　本願の請求項１に係る発明（以下「本願発明」という。）は、平成２８年４月２０日付け手続補正書の特許請求の範囲の請求項１に記載された事項により特定される、以下のとおりのものと認める。
「方法であって、
　無線通信パケットを第１のデバイスで受信することと、ここにおいて、前記無線通信パケットは、送信機から前記第１のデバイスおよび少なくとも１つの第２のデバイスに送信される、
　前記第１のデバイスが前記無線通信パケットを成功裏に受信したという前記第１のデバイスによる決定を受けて無線通信肯定応答（ＡＣＫ）メッセージを前記第１のデバイスで生成することと、ここにおいて、前記無線通信ＡＣＫメッセージは、前記第１のデバイスを識別する媒体アクセス制御（ＭＡＣ）アドレスを含む、
　前記送信機に前記無線通信ＡＣＫメッセージを同時に送信することと
　を備える、方法。」
５．引用例
　原査定の拒絶の理由に引用された、本願の優先権主張の日前である平成１６年１１月１８日に公表された特開２００４−３２８５７０号公報（以下「引用例１」という。）には、次の事項が記載されている。
「【０００１】
【発明の属する技術分野】
本発明は、複数の通信局間でデータ通信を行う通信システム及び通信方法、並びに、これら通信システム及び通信方法にて用いられる通信装置に関し、特に、いわゆる
無線ＬＡＮ
に適用して好適な
通信方法
に関する。
「【００４６】
まず、第１の実施の形態について説明する。
【００４７】
この第１の実施の形態として示す通信システムは、アクセスポイントから送信されたＲＴＳ信号を受信した複数の端末が、それぞれ、時分割でＣＴＳ信号を返信するものである。また、この通信システムは、アクセスポイントが、搭載されるアダプティブアレイアンテナの重みを学習して指向性を形成していく際に、最初の学習については、時分割された複数のＣＴＳ信号に基づいて、各端末が備えるアンテナ素子のそれぞれと、自己が備えるアダプティブアレイアンテナ対応の複数のアンテナ素子との間の伝達関数を取得することによってアダプティブアレイアンテナの重みを求め、２回目以降の学習については、空間分割多重された複数のＡＣＫ信号に基づいて直接アダプティブアレイアンテナの重みを求めるものである。
【００４８】
通信システムは、
イーサネット（登録商標）等の所定の有線ネットワークケーブルＮＴに接続された少なくとも１つ以上のアクセスポイントＡＰ１，ＡＰ２と、複数の端末ＳＴＡ１１，ＳＴＡ１２，ＳＴＡ１３，ＳＴＡ１４，ＳＴＡ２１との間でネットワークが形成されて構成される。端末ＳＴＡ１１，ＳＴＡ１２，ＳＴＡ１３，ＳＴＡ１４，ＳＴＡ２１は、それぞれ、ＩＥＥＥ８０２．１１方式に準拠した手順に則り、自己が属するアクセスポイントを１つ決定しており、１つのアクセスポイントに属している。この例では、端末ＳＴＡ１１，ＳＴＡ１２，ＳＴＡ１３，ＳＴＡ１４は、それぞれ、アクセスポイントＡＰ１に属し、端末ＳＴＡ２１は、アクセスポイントＡＰ２に属しているものとする。
【００４９】
アクセスポイントＡＰ１，ＡＰ２は、それぞれ、図２に示すように、通信手段である複数のアンテナ素子１０１，１０２，１０３，・・・と、これらアンテナ素子１０１，１０２，１０３，・・・に接続されるデータ処理手段であるデータ処理部１５とを備え、アレイアンテナの処理を行うことが可能に構成される。
【００５０】
アンテナ素子１０１，１０２，１０３，・・・は、それぞれ、アンテナ１１が共用器１２を介して送信処理部１３と受信処理部１４とに接続されて構成される。送信処理部１３は、データ処理部１５から供給されたベースバンド信号に対してＡ／Ｄ変換や変調等の各種処理を施し、さらに例えばＲＦ（Ｒａｄｉｏ　Ｆｒｅｑｕｅｎｃｙ）信号に変換した上で、このＲＦ信号を共用器１２へと供給する。なお、ここでは、
ＩＥＥＥ８０２．１１方式に規定されるＭＡＣ
レイヤで動作する物理レイヤとして、ＩＥＥＥ８０２．１１ａに準拠するものを採用し、これにともない、変調方式としては、いわゆる直交周波数分割多重（
ＯＦＤＭ）変調方式を行うものとする。
【００５１】
データ処理部１５は、例えば後述する各種情報が記述されたＲＴＳ信号を作成するといったように、この通信システムに実装されるメディアアクセス制御方式における各層での処理を実行する。このとき、データ処理部１５は、アダプティブアレイアンテナとして機能させるために、複数のアンテナ素子１０１，１０２，１０３，・・・のそれぞれから供給される受信信号に基づいて、アダプティブアレイアンテナの重みを学習して指向性パターンを形成するとともに、受信時の重みパターンと同一のパターンに基づいて、複数のアンテナ素子１０１，１０２，１０３，・・・のそれぞれを介して送信すべきデータに対して重み付けを行う。
【００５２】
一方、端末ＳＴＡ１１，ＳＴＡ１２，ＳＴＡ１３，ＳＴＡ１４，ＳＴＡ２１は、それぞれ、図３に示すように、通信手段である単一のアンテナ素子２０のみを備えるとともに、このアンテナ素子２０に接続されるデータ処理手段であるデータ処理部２５とを備える。
【００５３】
アンテナ素子２０は、上述したアンテナ素子１０１，１０２，１０３，・・・のそれぞれと同様に構成され、アンテナ２１が共用器２２を介して送信処理部２３と受信処理部２４とに接続されて構成される。また、データ処理部２５は、例えば後述する各種情報が記述されたＣＴＳ信号やＡＣＫ信号を作成するといったように、この通信システムに実装されるメディアアクセス制御方式における各層での処理を実行する。
【００５４】
さて、このような通信システムにて授受されるＲＴＳ信号、ＣＴＳ信号、及びＡＣＫ信号についてのフレームフォーマットとして、以下に示すものを新たに提案する。
【００５５】
まず、比較のため、従来のＲＴＳ信号、ＣＴＳ信号、及びＡＣＫ信号について説明する。
【００５６】
従来のＲＴＳ信号のフォーマットを図４に示す。すなわち、従来のＲＴＳ信号は、２オクテットからなるフレームコントロール（Ｆｒａｍｅ　Ｃｏｎｔｒｏｌ）と、２オクテットからなるデュレーション（Ｄｕｒａｔｉｏｎ）と、６オクテットからなるレシーバ・アドレス（Ｒｅｃｅｉｖｅｒ　Ａｄｄｒｅｓｓ；ＲＡ）及びトランスミッタ・アドレス（Ｔｒａｎｓｍｉｔｔｅｒ　Ａｄｄｒｅｓｓ；ＴＡ）と、４オクテットからなるフレーム・チェック・シーケンス（Ｆｒａｍｅ　Ｃｈｅｃｋ　Ｓｅｑｕｅｎｃｅ；ＦＣＳ）とから構成される。
【００５７】
フレームコントロールは、
パケットの種別やプロトコルのバージョン、再送の有無、データの経路情報といった各種情報が記述される。このフレームコントロールは、ＲＴＳ信号のみならず、ＣＴＳ信号、ＡＣＫ信号、及び通常の一般的なデータフレームにも格納され、全てのフレームに共通に用いられる。
【００５８】
デュレーションは、時間の指定を行うために設けられる。アクセスポイントや各端末を含む各通信局は、レシーバ・アドレス（ＲＡ）にアドレスが記述されていない場合には、このデュレーションに記述された時間に基づいて、通信動作を控えるべき時間を把握することができる。
【００５９】
レシーバ・アドレス（ＲＡ）は、データを受信させたい通信局のアドレスが記述される。また、トランスミッタ・アドレス（ＴＡ）は、データを送信する通信局のアドレスが記述される。
【００６０】
フレーム・チェック・シーケンス（ＦＣＳ）は、３２ビットのＣＲＣ
チェックである。データを受信した通信局は、このフレーム・チェック・シーケンスを再計算し、送られてきたフレーム・チェック・シーケンスと一致しなかった場合には、そのフレームは破壊されたものとして廃棄することにより、正しいＭＡＣパケットのみを認識し、処理を行うことになる。
「【００７９】
つぎに、新たに
提案するＡＣＫ信号は、
２オクテットからなるフレームコントロールと、２オクテットからなるデュレーションと、６オクテットからなるレシーバ・アドレスと、４オクテットからなるフレーム・チェック・シーケンスとに対して、
【００８０】
具体的には、ＡＣＫ信号は、
新たに付加されたフォーマットとして、トランスミッタ・アドレス（ＴＡ）と、フレーム・チェック・シーケンス（ＦＣＳ２）と、ＲＡＮＤＰＡＴとを備える。
【００８１】
すなわち、ＡＣＫ信号におけるＲＡＮＤＰＡＴは、例えば、ＲＴＳ信号におけるレシーバ・アドレス（ＲＡ）で指定された端末は、ＲＡＮＤＰＡＴとしてＲＡＮＤ１シーケンスを記述し、レシーバ・アドレス（ＲＡ２）で指定された端末は、ＲＡＮＤＰＡＴとしてＲＡＮＤ２シーケンスを記述する、といったように、ＲＴＳ信号におけるレシーバ・アドレス（ＲＡ，ＲＡ２，ＲＡ３，ＲＡ４，・・・）で指定された各端末について、それぞれ異なる固有のランダムシーケンスが記述される。また、このＲＡＮＤＰＡＴは、ＣＴＳ信号におけるＲＡＮＤＰＡＴとはランダムシーケンスの長さが異なる。具体的には、ＡＣＫ信号を用いたアダプティブアレイアンテナの重みの学習は、環境変化に適応的に追従するという意味合いが強いものであることから、ＡＣＫ信号におけるＲＡＮＤＰＡＴは、ＣＴＳ信号におけるＲＡＮＤＰＡＴよりもランダムシーケンスの長さが短くて済み、ＯＦＤＭシンボルで約４個分の情報で足りる。ＡＣＫ信号は、複数のデータ（Ｆｒａｇｍｅｎｔ）の間に挟まれて授受されることから、多数回の授受が行われ、ＣＴＳ信号のように長大なランダムシーケンスを用いたアダプティブアレイアンテナの重みの学習を行うのは困難であり、また、環境変化に適応的に追従することが目的であるため、ランダムシーケンスが長大である必要もない。」
「【００８９】
アクセスポイントＡＰ１は、
複数のアンテナ素子１０１，１０２，１０３を用いて、各端末ＳＴＡ１１，ＳＴＡ１２，ＳＴＡ１３に対して空間分割多重によるデータ（Ｆｒａｇｍｅｎｔ０−０，Ｆｒａｇｍｅｎｔ１−０，Ｆｒａｇｍｅｎｔ２−０）の送信を開始する。
【００９０】
これに応じて、各端末ＳＴＡ１１，ＳＴＡ１２，ＳＴＡ１３は、それぞれ、アクセスポイントＡＰ１からのデータの送信が完了してから所定の時間ＳＩＦＳ後に、ＡＣＫ信号（ＡＣＫ０−０，ＡＣＫ１−０，ＡＣＫ２−０）を同時に返信する。ＡＣＫ信号は、それぞれ、先に図８に示したようなフォーマットからなり、トランスミッタ・アドレス（ＴＡ）に、送信元の端末ＳＴＡ１１，ＳＴＡ１２，ＳＴＡ１３のアドレスが記述されていることから、アクセスポイントＡＰ１は、受信したＡＣＫ信号がどの端末から送信されたものであるのかを把握することができる。
【００９１】
そして、アクセスポイントＡＰ１は、受信した複数のＡＣＫ信号におけるＲＡＮＤＰＡＴに基づいて、いわゆるＲＬＳ（Ｒｅｃｕｒｓｉｖｅ　Ｌｅａｓｔ　Ｓｑｕａｒｅ）アルゴリズム等の所定の適応アルゴリズムを用いて直接アダプティブアレイアンテナの重みの学習を行うことになる。
【００９２】
一方、従来の端末ＳＴＡ１４は、アクセスポイントＡＰ１からデータが送信されたのに応じて、データにおけるデュレーションに記述された時間を、ＮＡＶのカウンタ値（ＮＡＶ（Ｆｒａｇｍｅｎｔ０））に待ち時間として設定し、通信動作を控えるとともに、各端末ＳＴＡ１１，ＳＴＡ１２，ＳＴＡ１３からＡＣＫ信号が送信されたのに応じて、ＡＣＫ信号におけるデュレーションに記述された時間を、ＮＡＶのカウンタ値（ＮＡＶ（ＡＣＫ０）に待ち時間として設定し、通信動作を控える。」
　また、図１及び図８及び図９は下記のとおりである。
［図１］
［図８］
［図９］
　上記によれば、引用例１には、
「無線ＬＡＮに適用して好適な通信方法に関し、
　通信システムは、イーサネット（登録商標）等の所定の有線ネットワークケーブルＮＴに接続された少なくとも１つ以上のアクセスポイントＡＰ１，ＡＰ２と、複数の端末ＳＴＡ１１，ＳＴＡ１２，ＳＴＡ１３，ＳＴＡ１４，ＳＴＡ２１との間でネットワークが形成されて構成され、端末ＳＴＡ１１，ＳＴＡ１２，ＳＴＡ１３，ＳＴＡ１４，ＳＴＡ２１は、それぞれ、ＩＥＥＥ８０２．１１方式に準拠した手順に則り、自己が属するアクセスポイントを１つ決定しており、１つのアクセスポイントに属し、端末ＳＴＡ１１，ＳＴＡ１２，ＳＴＡ１３，ＳＴＡ１４は、それぞれ、アクセスポイントＡＰ１に属し、
　ＩＥＥＥ８０２．１１方式に規定されるＭＡＣレイヤで動作する物理レイヤとして、ＩＥＥＥ８０２．１１ａに準拠するものを採用し、これにともない、変調方式としては、直交周波数分割多重（ＯＦＤＭ）変調方式を行うものとし、
　フレームコントロールは、パケットの種別やプロトコルのバージョン、再送の有無、データの経路情報といった各種情報が記述され、ＲＴＳ信号のみならず、ＣＴＳ信号、ＡＣＫ信号、及び通常の一般的なデータフレームにも格納され、全てのフレームに共通に用いられ、
　デュレーションは、時間の指定を行うために設けられ、アクセスポイントや各端末を含む各通信局は、レシーバ・アドレス（ＲＡ）にアドレスが記述されていない場合には、このデュレーションに記述された時間に基づいて、通信動作を控えるべき時間を把握することができ、
　レシーバ・アドレス（ＲＡ）は、データを受信させたい通信局のアドレスが記述され、トランスミッタ・アドレス（ＴＡ）は、データを送信する通信局のアドレスが記述され、
　フレーム・チェック・シーケンス（ＦＣＳ）は、３２ビットのＣＲＣチェックであって、データを受信した通信局は、このフレーム・チェック・シーケンスを再計算し、送られてきたフレーム・チェック・シーケンスと一致しなかった場合には、そのフレームは破壊されたものとして廃棄することにより、正しいＭＡＣパケットのみを認識し、処理を行い、
　提案するＡＣＫ信号は、２オクテットからなるフレームコントロールと、２オクテットからなるデュレーションと、６オクテットからなるレシーバ・アドレスと、４オクテットからなるフレーム・チェック・シーケンスとに対して、新たな部分を付加した構成とされ、具体的には、ＡＣＫ信号は、新たに付加されたフォーマットとして、トランスミッタ・アドレス（ＴＡ）と、フレーム・チェック・シーケンス（ＦＣＳ２）と、ＲＡＮＤＰＡＴとを備え、
　アクセスポイントＡＰ１は、アダプティブアレイアンテナの重みを学習することによってアダプティブアレイアンテナとして機能し、最後のＣＴＳ信号（ＣＴＳ２）を受信してから所定の時間ＳＩＦＳ後に、複数のアンテナ素子１０１，１０２，１０３を用いて、各端末ＳＴＡ１１，ＳＴＡ１２，ＳＴＡ１３に対して空間分割多重によるデータ（Ｆｒａｇｍｅｎｔ０−０，Ｆｒａｇｍｅｎｔ１−０，Ｆｒａｇｍｅｎｔ２−０）の送信を開始し、
　これに応じて、各端末ＳＴＡ１１，ＳＴＡ１２，ＳＴＡ１３は、それぞれ、アクセスポイントＡＰ１からのデータの送信が完了してから所定の時間ＳＩＦＳ後に、ＡＣＫ信号（ＡＣＫ０−０，ＡＣＫ１−０，ＡＣＫ２−０）を同時に返信し、ＡＣＫ信号は、トランスミッタ・アドレス（ＴＡ）に、送信元の端末ＳＴＡ１１，ＳＴＡ１２，ＳＴＡ１３のアドレスが記述されていることから、アクセスポイントＡＰ１は、受信したＡＣＫ信号がどの端末から送信されたものであるのかを把握することができる、
　通信方法。」
が記載されている。（以下「引用発明」という。）
６．本願発明と引用発明の対比
　引用発明の「ＡＣＫ信号」は、本願発明の「無線通信肯定応答（ＡＣＫ）メッセージ」に相当する。
　引用発明の「アクセスポイントＡＰ１」は、本願発明の「送信機」に相当し、
　引用発明の「端末ＳＴＡ１１」は、本願発明の「第１のデバイス」に相当し、
　引用発明の「端末ＳＴＡ１２」は、本願発明の「第２のデバイス」に相当する。
　引用発明の「空間分割多重によるデータ（Ｆｒａｇｍｅｎｔ０−０，Ｆｒａｇｍｅｎｔ１−０，Ｆｒａｇｍｅｎｔ２−０）」は、無線ＬＡＮにおけるデータフレームであるから、「無線通信データ」であるといえ、ＦＣＳを再計算することにより正しい「ＭＡＣパケット」のみを認識することが可能である。
　上記によれば、無線通信データのＦＣＳにより正しい「ＭＡＣパケット」を認識することが可能であるから、「無線通信データ」は「無線通信パケット」であるといえる。
　引用発明において、空間分割多重によるデータ（Ｆｒａｇｍｅｎｔ０−０，Ｆｒａｇｍｅｎｔ１−０，Ｆｒａｇｍｅｎｔ２−０）を、ＡＰ１がＳＴＡ１１、ＳＴＡ１２、ＳＴＡ１３に対して送信しているから、「無線通信パケットは、送信機から第１のデバイス及び少なくとも１つの第２のデバイスに送信」しているといえる。
　ＡＣＫ信号を返信するために、ＡＣＫ信号を生成する必要があることは当然のことであるから、引用発明のＳＴＡ１１は、「ＡＣＫメッセージを生成」しているといえる。
　引用発明におけるＡＣＫ信号には、データを送信する通信局のアドレスであるトランスミッタ・アドレスが含まれており、ＡＰ１がＡＣＫ信号を受信するとトランスミッタ・アドレスにより送信元の端末のアドレスが記載されていることによりどの端末から送信されたものであるのかを把握することができるから、「無線通信ＡＣＫメッセージは、第１のデバイスを識別するアドレスを含」んでいるといえる。
　引用発明において、アクセスポイントＡＰ１からのＦｒａｇｍｅｎｔ０−０の送信に応じて、ＳＴＡ１１がＡＣＫ０−０を、ＳＴＡ１２が送信するＡＣＫ１−０と同時に返信しているから「無線通信ＡＣＫメッセージを同時に送信」しているといえる。
　また、ＡＰ１がＡＣＫ信号を受信するから、ＡＣＫ０−０は、ＡＰ１すなわち「送信機」に対して送信しているといえる。
　上記によれば、引用発明は、「送信機に無線通信ＡＣＫメッセージを同時に送信」しているといえる。
　ここで、引用発明において、ＡＣＫ信号は「送信されたデータを正しく受信した旨を周知させるための応答信号」であるから、「無線通信データを正しく受信した」ことが認識した場合の応答信号であって、「正しく受信」とは「成功裏に受信」のことであるから、「無線通信ＡＣＫメッセージ」は「無線通信パケットを成功裏に受信したというＳＴＡ１１による決定を受け」て生成しているといえる。
　したがって、本願発明と引用発明は、
「方法であって、
　無線通信パケットを第１のデバイスで受信することと、ここにおいて、前記無線通信パケットは、送信機から前記第１のデバイスおよび少なくとも１つの第２のデバイスに送信される、
　前記第１のデバイスが無線通信肯定応答（ＡＣＫ）メッセージを前記第１のデバイスで生成することと、ここにおいて、前記無線通信ＡＣＫメッセージは、前記第１のデバイスを識別するアドレスを含む、
　前記送信機に前記無線通信ＡＣＫメッセージを同時に送信することと
　を備える、方法。」
　で一致し、下記の点で相違する。
　相違点
　アドレスとして、本願発明は「媒体アクセス制御（ＭＡＣ）アドレス」であるのに対し、引用発明は、どのようなアドレスであるのか特定されていない点。
７．当審の判断
　上記相違点について検討する。
　相違点について
　ＭＡＣレイヤで動作する通信方法における通信パケットのアドレスとして、ＭＡＣアドレスは代表的なアドレスに過ぎない。
　よって、引用発明におけるアドレスとしてＭＡＣアドレスを用いることは、当業者にとって容易に想到しうることである。
８．むすび
　以上のとおり、本願発明は、引用発明に基づいて、当業者が容易に発明をすることができたものであるから、特許法第２９条第２項の規定により特許を受けることができない。
　よって、結論のとおり審決する。